(57)【要約】【課題】本発明は、植付装置に種芋を供給する作業を自動化して作業者が極力走行操縦操作に専念できて、作業性及び作業効率の良い球根類の植付機を提供することを課題とする。【解決手段】昇降する植付装置７の上部に多数の種芋類Ａから一個ずつ取り込んで植付装置７へ繰り出す種芋類繰出し装置３５を設け、この種芋類繰出し装置３５を植付装置７の上昇タイミングに合わせて種芋類Ａを一個ずつ底部から植付装置７へ繰り出させてなる種芋等の移植機とする。【選択図】図１
2012039921.tif 000002
【特許請求の範囲】
【請求項１】
昇降する植付装置（７）の上部に多数の種芋類（Ａ）から一個ずつ取り込んで植付装置（７）へ繰り出す種芋類繰出し装置（３５）を設け、この種芋類繰出し装置（３５）を植付装置（７）の上昇タイミングに合わせて種芋類（Ａ）を一個ずつ底部から植付装置（７）へ繰り出させてなる種芋等の移植機。
【請求項２】
種芋類繰出し装置（３５）を種芋類（Ａ）を収容する供給ホッパ（６）とこの供給ホッパ（６）内部に設けた供給ローラ（８）で構成したことを特徴とする請求項１に記載の種芋等の移植機。
【請求項３】
種芋類繰出し装置（３５）の側部に予備の種芋類（Ａ）を収容する補給ホッパ（１２）を設け、適宜に補給ホッパ（１２）から繰出し装置（３５）側へ種芋類（Ａ）を補給可能にしたことを特徴とする請求項２に記載の種芋等の移植機。
【請求項４】
種芋類繰出し装置（３５）を搬送室（３０）を形成した搬送ベルト（２２）で構成したことを特徴とする請求項１に記載の種芋等の移植機。
【発明の詳細な説明】
【技術分野】
【０００１】
本発明は、種芋を含む球根類を圃場に植付ける球根類の植付機に関するものである。
【背景技術】
【０００２】
畝上を走行しながら作業者によって種芋供給部に供給された球根類を植付装置で圃場に植付ける球根類の植付機が知られている。
例えば、特許文献１に示されるように、種芋を貯留する種芋載せ台と該種芋載せ台から種芋が移動して収容される収容部と該収容部の下方に配置された複数の供給カップが周回する供給部と該供給部から受け取った種芋を圃場に植付ける植付装置を装備した球根類の植付機がある。作業者は、供給部の中央上方に配置された収容部から種芋を一個ずつ取出して供給部の各供給カップに種芋を入れることで植付作業を続ける。
【先行技術文献】
【特許文献】
【０００３】
【特許文献１】特開２００２−５１６１３号公報
【発明の概要】
【発明が解決しようとする課題】
【０００４】
上記構成の球根類の植付機は、作業者が植付機の走行操縦操作を行いながら供給カップに種芋を入れる作業を行わなければならない。
そこで、本発明では、植付装置に種芋を供給する作業を自動化して作業者が極力走行操縦操作に専念出来る球根類の植付機を提供することを課題とする。
【課題を解決するための手段】
【０００５】
この発明は、上記課題を解決すべく次のような技術的手段を講じた。
すなわち、請求項１に係る発明は、昇降する植付装置７の上部に多数の種芋類Ａから一個ずつ取り込んで植付装置７へ繰り出す種芋類繰出し装置３５を設け、この種芋類繰出し装置３５を植付装置７の上昇タイミングに合わせて種芋類Ａを一個ずつ底部から植付装置７へ繰り出させてなる種芋等の移植機とする。
【０００６】
この構成で、繰出し装置３５の底部から繰り出された種芋類Ａが植付装置７に自動的に供給されて圃場へ植え付けられる。
請求項２に係る発明は、種芋類繰出し装置３５を種芋類Ａを収容する供給ホッパ６とこの供給ホッパ６内部に設けた供給ローラ８で構成したことを特徴とする請求項１に記載の種芋等の移植機とする。
【０００７】
この構成で、供給ホッパ６に収容された多数の種芋類Ａが供給ローラ８で一個ずつ取出されて植付装置７へ繰り出されて植付装置７で圃場へ植え付けられる。
また、請求項３に係る発明は、種芋類繰出し装置３５の側部に予備の種芋類Ａを収容する補給ホッパ１２を設け、適宜に補給ホッパ１２から繰出し装置３５側へ種芋類Ａを補給可能にしたことを特徴とする請求項２に記載の種芋等の移植機とする。
【０００８】
この構成で、請求項１に記載の発明の作用に加えて、補給ホッパ１２内の種芋類Ａを繰出し装置３５側に補給しながら植付作業を長く続けられる。
また、請求項４に係る発明は、種芋類繰出し装置３５を搬送室３０を形成した搬送ベルト２２で構成したことを特徴とする請求項１に記載の種芋等の移植機とする。
【０００９】
この構成で搬送ベルト２２の上側で搬送室３０へ取り込まれた種芋類Ａが搬送ベルト２２の下側で植付装置７へ落下供給されて圃場へ植え付けられる。
【発明の効果】
【００１０】
この発明は、種芋類Ａが繰出し装置３５で自動的に一個ずつ植付装置７に供給されるので、作業者が機体の操縦操作に専念出来て、植付作業が楽に行える。
【図面の簡単な説明】
【００１１】
【図１】本発明の実施例を示す植付機の左側面図である。
【図２】供給ローラの実施例を示す側断面図である。
【図３】供給装置の別実施例を示す斜視図である。
【図４】別実施例供給装置の一部斜視図である。
【図５】別実施例供給装置の一部斜視図である。
【発明を実施するための形態】
【００１２】
上記本発明の技術思想に基づいて具体的に構成された実施の形態について、以下に、図面を参照しつつ説明する。
種芋類の植付機１は、一体構成のエンジン２と主伝動ケース２ａ、機体前部を支持する左右の前輪４，４、左右の伝動支持部５ａ，５ａを介して機体高さと左右高さを調整可能に駆動支持する左右の駆動輪５，５、主伝動ケース２ａの後部から一体的に延びるハンドルフレーム３、その後端に一体形成した歩行操縦用の操縦ハンドル３ａよりなる走行部１ａと、ジャガイモ等の種芋やラッキョウ等を含む種芋類Ａを圃場に植付けるための植付部１ｂとから構成される。尚、植付機１のエンジン２を設けた側を機体前部、操縦ハンドル３ａ側を機体後部と謂い、操縦ハンドル３ａ側の後部に立ってエンジン２側の前部に向かって左側を機体の左側、右側を機体の右側と謂う。
【００１３】
植付部１ｂは、種芋類繰出し装置３５を構成する種芋類Ａを貯留して底部の供給口６ａから一個ずつ落下する供給ホッパ６と該供給口６ａから受け取った種芋類Ａを植付カップ７ａが昇降動作して畝に植え付ける植付装置７で構成する。
【００１４】
供給ホッパ６の内部には、種芋類Ａを受け入れる受穴８ａを周面に等配形成した供給ローラ８を左右方向へ横架軸支している。この供給ローラ８の前側を供給ホッパ６内面に接近して受穴８ａに入った一個の種芋類Ａが供給口６ａに向けて送られ、供給ローラ８の後側で供給ホッパ６内面が下り傾斜して種芋類Ａが受穴８ａに一個ずつ掬い上げられるようにしている。この供給ローラ８は、左側面視で左回りに間欠回動し、種芋類Ａを上昇位置にある植付カップ７ａに供給する。なお、供給ローラ８に設ける受穴８ａは、軸方向に穴幅を調整可能にして種芋類Ａを一個ずつ受け入れるようにしている。
【００１５】
植付装置７の植付カップ７ａは、主伝動ケース２ａの後部に装着した副伝動ケース２ｂから後方へ延ばした上下リンク９で昇降動作し、降下した位置で畝に突き刺さって植付カップ７ａが前後に開いて種芋類Ａを土中に植え付ける。
【００１６】
植付カップ７ａの昇降と供給ローラ８の回転を同期させ、植付カップ７ａが最上昇位置で供給ローラ８が受穴８ａ一個分回動して種芋類Ａを植付カップ７ａに供給する。
供給ホッパ６の前側に、補給ホッパ１２を支軸１０に枢支して副伝動ケース２ｂの支台１３に載置している。この補給ホッパ１２の後底面１２ａを後方に向かって登り傾斜させ、支軸１０に固着した供給ハンドル１１を下方へ押し下げると、補給ホッパ１２が立ち上がって、内部の種芋類Ａを供給ホッパ６に補給する。なお、補給ホッパ１２の支軸１０にトーションスプリングを介在させて補助ホッパ１２を起立付勢することで、供給ハンドル１１による押し上げを楽に行えるようにすると良い。
【００１７】
図２に供給ローラ８の詳細構造を示している。
この供給ローラ８は、中心に固定の吸引軸１７を設け、この吸引軸１７に対して供給ローラ８を回転するようにしている。
【００１８】
供給ローラ８の受穴８ａから中心に向かって通口１６を設け、吸引軸１７の周囲に設けた吸引溝１７ａと通口１６が一致すると受穴８ａ内の種芋類Ａが吸引される。なお、吸引溝１７ａから吸引するコンプレッサーの吸引側にフィルタを設けて、受穴８ａの土や肥料を分離するようにしている。
【００１９】
吸引軸１７の真下位置には中心の吐出口１８に通じる排出孔１９を設け、供給ローラ８の通口１６が排出孔１９に通じると空気と共に種芋類Ａを下方に向かって噴き出すようにして種芋類Ａの排出を確実に行う。なお、吐出口１８には粒状の肥料を混入し、種芋類Ａと共に肥料を噴き出すようにしている。
【００２０】
供給ローラ８の受穴８ａの回転前側角部８ｂを緩やかな曲面として種芋類Ａを受け入れやすくし、回転後側角部に弾性フィン１５を立設して供給ホッパ６の前側内周面に摺接するようにしている。
【００２１】
図３〜図５は、種芋類Ａを植付装置７に供給する種芋類繰出し装置３５の別実施例で、左右で前後方向に軸支したローラ２０，２１に搬送ベルト２２を巻き掛け、該搬送ベルト２２に搬送仕切２３を種芋類Ａの収容間隔を空けて立設し、搬送ベルト２２を前後で挟むサイド壁２８，２９を設け、サイド壁２８，２９と隣接する搬送仕切２３で種芋類Ａの一個分の搬送室３０を形成する。送り先側のローラ２１上から植付装置７上位置までには、前後サイド壁２８，２９を繋いで覆う天板２４を設けて、植付装置７の上昇タイミングで搬送ベルト２２を搬送室３０一個分ずつ間欠的に移動させて、前記搬送室３０に入った種芋類Ａを植付装置７の供給ホッパ７ｂに落下する。
【００２２】
前側サイド壁２９の前に補給ホッパ２５を支軸２７で枢支しバネ２６で前側を浮かせ気味に支持している。この補給ホッパ２５に種芋類Ａを収容しておいて、搬送ベルト２２の空の搬送室３０が移動してくると、種芋類Ａが補給ホッパ２５底部のガイド溝２５ａを通って搬送室３０に収容される。なお、支軸２７は前側サイド壁２９に近付けて補給ホッパ２５が昇降しても搬送室３０への供給位置が変動しないようにしている。
【００２３】
図５は、天板２４の植付装置７上位置の別構成で、支軸３１で搬送仕切２３のシャッタ３２を植付装置７の上昇タイミングで開閉するように設けて種芋類Ａの落下供給を確実にしている。３３は落下ガイドである。
【００２４】
図１の構成の移植機１は、作業者が操縦ハンドル３ａの後側を歩きながら機体を走行させる。すると、供給ホッパ６内の種芋類Ａが自動的に供給ローラ８で一個ずつ植付装置７に供給され、該植付装置７で圃場へ植え付けられる。
【００２５】
そして、供給ホッパ６内の種芋類Ａが少なくなると、供給ハンドル１１を押し下げて補給ホッパ１２の種芋類Ａを供給ホッパ６へ補給する。再度、供給ホッパ６の種芋類Ａが無くなると、機体を畦に近付けて種芋類Ａを供給ホッパ６と補給ホッパ１２に積み込むのである。
【符号の説明】
【００２６】
Ａ  種芋類
６  供給ホッパ
７  植付装置
８  供給ローラ
１２  補給ホッパ
２２  搬送ベルト
３０  搬送室
３５  繰出し装置
【図１】
2012039921.tif 000003
【図２】
2012039921.tif 000004
【図３】
2012039921.tif 000005
【図４】
2012039921.tif 000006
【図５】
2012039921.tif 000007